(57)【特許請求の範囲】
【請求項１】
識別情報を有する無線タグを付した商品から前記識別情報を取得する識別情報取得手段と、
前記識別情報に基づいて商品情報を取得する商品情報取得手段と、
前記識別情報取得手段が前記識別情報を取得する位置を予め設定した位置情報に基づいて、前記商品と前記位置情報とを関連付ける商品位置関連付手段と、
前記識別情報に基づく商品情報の取得の成否を判定する商品情報取得判定手段と、
前記商品情報の取得の成否を前記位置情報とともに報知する商品情報報知手段と、
を備えたことを特徴とする商品情報読取装置。
【請求項２】
前記識別情報取得手段は、位置を違えて複数配設され、
前記位置情報は、前記識別情報取得手段を識別可能な識別情報取得手段識別情報と、前記識別情報取得手段の配設位置とを対応付けた情報であることを特徴とする請求項１記載の商品情報読取装置。
【請求項３】
複数配設された前記識別情報取得手段は、各々異なるタイミングで、前記識別情報を取得することを特徴とする請求項２記載の商品情報読取装置。
【請求項４】
前記識別情報取得手段は、前記商品と相対的な位置関係を変更可能な位置関係変更手段を備え、
前記位置情報は、前記識別情報取得手段を識別可能な識別情報取得手段識別情報と、前記位置関係とを対応付けた情報であることを特徴とする請求項１記載の商品情報読取装置。
【請求項５】
前記商品情報報知手段は、前記商品の検出範囲を所定数に分割した領域表示ごとに、前記商品情報の取得の成否を報知することを特徴とする請求項１乃至４のいずれか１つに記載の商品情報読取装置。
【請求項６】
前記商品情報報知手段は、前記商品の検出範囲を分割する所定数を可変とすることを特徴とする請求項１乃至４のいずれか１つに記載の商品情報読取装置。
【請求項７】
前記商品情報報知手段は、前記商品情報の取得ができなかった商品についてメーカ情報を取得して報知することを特徴とする請求項１乃至４のいずれか１つに記載の商品情報読取装置。
【請求項８】
前記識別情報取得手段は、前記商品から前記識別情報を取得した場合、前記無線タグに情報取得済情報を記録することを特徴とする請求項１乃至４のいずれか１つに記載の商品情報読取装置。
【請求項９】
コンピュータを、
識別情報を有する無線タグを付した商品から前記識別情報を取得する識別情報取得手段、
前記識別情報に基づいて商品情報を取得する商品情報取得手段、
前記識別情報取得手段が前記識別情報を取得する位置を予め設定した位置情報に基づいて、前記商品と前記位置情報とを関連付ける商品位置関連付手段、
前記識別情報に基づく商品情報の取得の成否を判定する商品情報取得判定手段、
前記商品情報の取得の成否を前記位置情報とともに報知する商品情報報知手段、
として機能させることを特徴とする商品情報読取プログラム。
【発明の詳細な説明】
【技術分野】
【０００１】
本発明は、商品情報読取装置、および商品情報読取プログラムに関する。
【背景技術】
【０００２】
スーパーマーケットやコンビニエンスストアをはじめとして、商品販売の現場では、ＰＯＳ（Point Of Sale）端末が広く普及している。ＰＯＳ端末は、バーコードスキャナを備え、商品に付されたバーコードをスキャンし、スキャンコードを取得する。そして、ＰＯＳ端末は、取得したスキャンコードで商品情報ファイルを検索し、商品名や販売価格などの商品情報を取得する。
【０００３】
このようなＰＯＳ端末が備えるバーコードスキャナは、レジでオペレータにより操作されるのが普通である。そして、たとえば、バーコードを読み取ったにもかかわらず、商品マスタに商品登録がされていないために商品名や価格を取得できなかったり、バーコードを汚損等していてバーコードを読み取ることができなかったりするなど、ＰＯＳ端末は、バーコードスキャン時にトラブルを生じることがある。しかし、バーコードスキャンをするために手に取っている商品が不具合対象であることは、オペレータにとって明らかであるためオペレータによる迅速なトラブル対応処理が期待できた。
【０００４】
そして、近年は、バーコードに代えて、ＲＦＩＤ（Radio Frequency IDentification「電波による個体識別」）タグを付した商品に対応して、ＲＦＩＤタグから商品識別情報を取得可能なＰＯＳ端末が市場に展開されつつある。バーコードからＲＦＩＤタグへの転換過程では、一店舗内にバーコードとＲＦＩＤタグとが混在することとなり、商品登録作業の効率化が十分に図れないという問題が生じていた。そこで、こうした過渡期における商品登録作業の効率化に関して、商品についてＲＦＩＤタグにより商品登録作業がなされたか否かを報知して、効率のよい商品登録作業を実現する商品販売登録処理システムの提案がある（たとえば、特許文献１参照）。
【０００５】
また、ＲＦＩＤリーダライタにより一括読み取りされなかった商品についてバーコード読み取りをする際、商品の読取がＲＦＩＤリーダライタによりなされたのか、バーコードリーダによりなされたのかを報知して、顧客の二重読み取りに対する不安を払拭する商品販売データ処理装置の提案がある（たとえば、特許文献２参照）。
【先行技術文献】
【特許文献】
【０００６】
【特許文献１】特開２００５−１４１６４８号公報
【特許文献２】特開２００７−２６４９１８号公報
【発明の概要】
【発明が解決しようとする課題】
【０００７】
しかしながら、ＲＦＩＤタグのメリットは、買い物かごに商品を納めた状態でのＲＦＩＤタグの一括読み取りであり、不具合があったからといって商品を１つずつ取り出して確認を要するようでは、ＲＦＩＤタグを用いるメリットが大きく減殺する。ここでいう不具合とは、たとえば、ＲＦＩＤタグから商品識別情報を読み取ったにもかかわらず商品マスタに商品登録がされていないために商品名や価格を取得できなかったり、ＲＦＩＤタグが破損等していて商品識別情報を読み取ることができなかったりする場合が挙げられる。
【０００８】
また、ＲＦＩＤタグからの商品識別情報の読み取りは、バーコードと違ってオペレータが商品を１つずつ手に取ることを要さないから、不具合を引き起こした場合に、オペレータにとって不具合の原因となった商品の発見が容易でない。
【０００９】
そこで、ＲＦＩＤタグの一括読み取り時に不具合を生じた原因商品の特定を容易にする商品情報読取装置、および商品情報読取プログラムの提供を目的とする。
【課題を解決するための手段】
【００１０】
上記課題を解決するために、商品情報読取装置は、識別情報取得手段と、商品情報取得手段と、商品位置関連付手段と、商品情報取得判定手段と、商品情報報知手段を備える。
識別情報取得手段は、識別情報を有する無線タグを付した商品から識別情報を取得する。商品情報取得手段は、識別情報に基づいて商品情報を取得する。商品位置関連付手段は、識別情報取得手段が識別情報を取得する位置を予め設定した位置情報に基づいて、商品と位置情報とを関連付ける。商品情報取得判定手段は、識別情報に基づく商品情報の取得の成否を判定する。商品情報報知手段は、商品情報の取得の成否を前記位置情報とともに報知する。
【発明の効果】
【００１１】
上記の商品情報読取装置、および商品情報読取プログラムによれば、ＲＦＩＤタグの一括読み取り時に不具合を生じた原因商品の特定を容易にする。
【図面の簡単な説明】
【００１２】
【図１】第１の実施形態の商品情報読取装置のブロック図である。
【図２】第２の実施形態のＰＯＳシステムを示す図である。
【図３】第２の実施形態のチェッカユニットのハードウェア構成例を示す図である。
【図４】第２の実施形態のチェッカユニットとキャッシャユニットにおけるスキャンコード入力処理のシーケンス図である。
【図５】第２の実施形態のチェッカユニットにおけるＲＦＩＤ読取処理のフローチャートである。
【図６】第２の実施形態のチェッカユニットにおける特定位置ＲＦＩＤ読取処理のフローチャートである。
【図７】第２の実施形態のチェッカユニットにおけるマスタ未登録商品位置情報表示処理のフローチャートである。
【図８】第２の実施形態のＲＦＩＤタグを付した商品の一例を示す図である。
【図９】第２の実施形態の買い物かごにある商品の読取状況の一例を示す図である。
【図１０】第２の実施形態のチェッカユニットのディスプレイの画面表示例を示す図である。
【図１１】第３の実施形態のＲＦＩＤリーダライタ配置例を示す図である。
【図１２】第４の実施形態のチェッカユニットにおけるマスタ未登録商品位置情報表示処理のフローチャートである。
【図１３】第４の実施形態のチェッカユニットのディスプレイの画面表示例を示す図である。
【発明を実施するための形態】
【００１３】
以下、実施形態を図面を参照して説明する。
図１は、第１の実施形態の商品情報読取装置のブロック図である。
商品情報読取装置１０は、ＲＦＩＤタグ（無線タグ）を付した商品から識別情報２１を取得する。商品情報読取装置１０は、たとえば、スーパーマーケットのレジに設けられたＲＦＩＤ読取装置（ＰＯＳ端末装置）であり、商品に付されたＲＦＩＤタグからスキャンコードを取得する。
【００１４】
商品情報読取装置１０は、識別情報取得手段１１と、商品情報取得手段１２と、商品位置関連付手段１３と、商品情報取得判定手段１４と、商品情報報知手段１５を備える。
識別情報取得手段１１は、ＲＦＩＤタグを付した商品からスキャンコード（識別情報）２１を取得する。識別情報取得手段１１は、たとえば、ＲＦＩＤリーダライタである。
【００１５】
商品情報取得手段１２は、スキャンコードに含まれる商品コードに基づいて、商品コードと商品情報２２とを対応付けた商品情報ファイルを検索する。そして、商品情報取得手段１２は、商品情報２２を取得する。商品情報２２は、たとえば、商品名や価格である。
【００１６】
商品位置関連付手段１３は、識別情報取得手段１１がスキャンコードを取得する位置を予め設定した位置情報２３に基づいて、商品と位置情報２３とを関連付ける。いいかえれば、商品位置関連付手段１３は、商品がどの位置にあるものとしてスキャンコードが取得されたかを把握可能な情報を生成する。識別情報取得手段１１がスキャンコードを取得する位置とは、たとえば、商品位置関連付手段１３が配設されている位置であり、より具体的には、ＲＦＩＤリーダライタが配設されている位置である。また、識別情報取得手段１１がスキャンコードを取得する位置とは、複数のＲＦＩＤリーダライタを備える場合は、各ＲＦＩＤリーダライタの位置（相対的な位置関係を含む）である。また、識別情報取得手段１１がスキャンコードを取得する位置とは、ＲＦＩＤリーダライタまたは商品のうち少なくともいずれか一方が移動する場合は、ＲＦＩＤリーダライタと商品の相対的な位置関係を含む情報である。
【００１７】
商品情報取得判定手段１４は、スキャンコードに基づく商品情報２２の取得の成否を判定する。商品情報取得判定手段１４は、たとえば、スキャンコードに含まれる商品コードに対応した商品情報２２が商品情報ファイルに登録されているか否かを判定する。つまり、商品情報取得判定手段１４は、商品が商品情報ファイルに登録されている登録商品か、商品が商品情報ファイルに登録されていない未登録商品かを判定する。
【００１８】
商品情報報知手段１５は、商品情報２２の取得の成否を位置情報２３とともに報知する。位置情報２３は、たとえば、買い物かごに納められた商品の位置を示す情報であり、買い物かごを俯瞰したときの商品の位置を示す。
【００１９】
次に、より具体的な第２の実施形態について説明する。図２は、第２の実施形態のＰＯＳシステムを示す図である。
ＰＯＳシステム１００は、ネットワーク１４０と、ネットワーク１４０に接続するＰＯＳ端末装置１０１とＰＯＳサーバ１３０を備える。ＰＯＳ端末装置１０１は、販売時点情報管理をおこなうための端末である。ＰＯＳサーバ１３０は、ＰＯＳ端末装置１０１により登録された販売情報を一元管理し、商品を識別するための商品コード（商品識別情報）、商品名（商品名情報）や価格（価格情報）などを登録した商品マスタ（商品情報ファイル）を管理する。
【００２０】
ＰＯＳ端末装置１０１は、キャッシャユニット１１０と、チェッカユニット１２０を有する。
キャッシャユニット１１０は、主として販売代金の受領作業をおこなうためのユニットである。キャッシャユニット１１０は、制御ユニット１１１、自動釣銭機１１２、キャッシュドロア１１３、自動釣札機１１４、キーボード１１５、タッチパネル１１６、ディスプレイ１１７、カスタマディスプレイ１１８、プリンタ１１９を有する。
【００２１】
制御ユニット１１１は、キャッシャユニット１１０を制御するとともに、ＰＯＳ端末装置１０１を統括的に制御するコンピュータである。自動釣銭機１１２は、顧客から受け取った硬貨の入金と、釣銭の出金とをおこなう。自動釣札機１１４は、顧客から受け取った紙幣の入金と、釣札の出金とをおこなう。キャッシュドロア１１３は、硬貨および紙幣を収納する収納庫である。ディスプレイ１１７は、取引作業をおこなうための所定のＧＵＩ（Graphical User Interface）を表示する。ディスプレイ１１７は、たとえば、液晶ディスプレイである。ディスプレイ１１７は、タッチパネル１１６の下層に位置している。ディスプレイ１１７の表示する画像は、タッチパネル１１６を透過して、オペレータから視認可能である。オペレータは、ディスプレイ１１７によって表示された画像を見ながら、タッチパネル１１６に対するタッチ操作をおこなうことができる。キーボード１１５は、ディスプレイ１１７に表示されたＧＵＩを操作するための入力装置である。カスタマディスプレイ１１８は、客側に取引情報を表示する表示装置であり、たとえば、商品購入代金の合計額、客からの預かり金額、釣銭金額などを表示する。プリンタ１１９は、客との取引結果をロール紙に印字してレシートを発行する印刷装置である。
【００２２】
チェッカユニット１２０は、主としてスキャンコードの入力作業をおこなうためのユニットである。チェッカユニット１２０は、タッチパネル１２１、スピーカ１２２、レーン台１２３、支柱１２４、ＲＦＩＤリーダライタ１２５、多項目キーボード１２６、ディスプレイ１２７、カスタマディスプレイ１２８を有する。
【００２３】
レーン台１２３は、支柱１２４を支持する。支柱１２４は、タッチパネル１２１、スピーカ１２２、多項目キーボード１２６、ディスプレイ１２７、カスタマディスプレイ１２８を支持する。また、レーン台１２３には、客が持参した買い物かごが載置される買い物かご載置部１２３ａを有する。レーン台１２３は、レーン入り口側から緩傾斜のスロープ状の買い物かご案内部１２３ｂと、スロープ終端は買い物かご載置部１２３ａに向けて立ち下がった壁状の位置指定部１２３ｃと、位置指定部１２３ｃから買い物かご１つ分だけ離れた位置で買い物かご載置部１２３ａから立ち上がった壁状の位置指定部１２３ｄとを有する。位置指定部１２３ｃと位置指定部１２３ｄは、買い物かご底部の前側と後ろ側を位置決めして、買い物かご載置部１２３ａに載置される買い物かごの位置を好適にする。ＲＦＩＤリーダライタ１２５は、買い物かご載置部１２３ａに埋設、あるいは買い物かご載置部１２３ａの裏面側に配設される。
【００２４】
ＲＦＩＤリーダライタ１２５は、商品に付されたＲＦＩＤタグからスキャンコードを読み取るための装置である。オペレータは、買い物かご載置部１２３ａに商品を納めた買い物かごを載せることで、ＲＦＩＤリーダライタ１２５を入力装置としたスキャンコードの入力をおこなう。なお、ＲＦＩＤリーダライタ１２５は、３行３列のマトリクス状に配置された９個の小型ＲＦＩＤリーダライタの集合体である。小型のＲＦＩＤリーダライタは、各々に割り当てられた領域の商品に付されたＲＦＩＤタグからスキャンコードを読み取る。
【００２５】
スキャンコードの入力結果は、ディスプレイ１２７に表示されて、オペレータがスキャンコードの入力結果を確認することができる。また、タッチパネル１２１は、ＲＦＩＤタグの付されていない商品（たとえば、ばら売りの野菜や魚などの生鮮食料品や、惣菜など）をディスプレイ１２７に表示される商品群から選択する入力装置である。カスタマディスプレイ１２８は、客側に取引情報を表示する表示装置であり、たとえば、スキャンコードを入力した商品の名称、単価などを表示する。また、スピーカ１２２により音声で入力結果を報知する。たとえば、スピーカ１２２は、入力が正常になされたときと、入力についてオペレータに注意喚起をする必要があるときなど状態に応じて異なる態様の音声出力をおこなう。より具体的には、たとえば、正常時は、「ピッ」という単発音で、注意喚起時は、「ピピッ」という連続音のようにオペレータが容易に区別可能な音声出力をおこなう。多項目キーボード１２６は、オペレータの操作を受け付ける。たとえば、多項目キーボード１２６は、スピーカ１２２からの音声出力で注意喚起されたときに、スキャンコードの入力の不具合を認識したオペレータによる訂正操作を受け付ける。
【００２６】
次に、第２の実施形態のチェッカユニット１２０のハードウェア構成について説明する。図３は、第２の実施形態のチェッカユニットのハードウェア構成例を示す図である。
チェッカユニット１２０は、ＣＰＵ１２０ａによって装置全体が制御されている。ＣＰＵ１２０ａには、バス１２０ｇを介してＲＡＭ１２０ｂ、ＨＤＤ（Hard Disk Drive）１２０ｃ、通信インタフェース１２０ｄ、グラフィック処理装置１２０ｅ、および入出力インタフェース１２０ｆが接続されている。
【００２７】
ＲＡＭ１２０ｂには、ＣＰＵ１２０ａに実行させるＯＳ（Operating System）のプログラムやサーバを実行するためのアプリケーションプログラムの少なくとも一部が一時的に格納される。また、ＲＡＭ１２０ｂには、ＣＰＵ１２０ａによる処理に必要な各種データが格納される。ＨＤＤ１２０ｃには、ＯＳやアプリケーションプログラムが格納される。
【００２８】
グラフィック処理装置１２０ｅには、ディスプレイ１２７、カスタマディスプレイ１２８が接続されている。ディスプレイ１２７は、取引作業をおこなうための所定のＧＵＩ（Graphical User Interface）を表示する。ディスプレイ１２７は、たとえば、液晶ディスプレイである。ディスプレイ１２７は、タッチパネル１２１の下層に位置している。ディスプレイ１２７の表示する画像は、タッチパネル１２１を透過して、オペレータから視認可能である。オペレータは、ディスプレイ１２７によって表示された画像を見ながら、タッチパネル１２１に対するタッチ操作をおこなうことができる。グラフィック処理装置１２０ｅは、ＣＰＵ１２０ａからの命令に従って、画像をディスプレイ１２７、カスタマディスプレイ１２８の画面に表示させる。
【００２９】
入出力インタフェース１２０ｆには、ＲＦＩＤリーダライタ１２５、タッチパネル１２１、多項目キーボード１２６、スピーカ１２２が接続されている。また、入出力インタフェース１２０ｆは、可搬型記録媒体１２９への情報の書込み、および可搬型記録媒体１２９への情報の読出しが可能な可搬型記録媒体インタフェースと接続可能になっている。入出力インタフェース１２０ｆは、ＲＦＩＤリーダライタ１２５、タッチパネル１２１、多項目キーボード１２６、スピーカ１２２、可搬型記録媒体インタフェースから送られてくる信号を、バス１２０ｇを介してＣＰＵ１２０ａに送信する。
【００３０】
通信インタフェース１２０ｄは、たとえば、ＲＳ−２３２Ｃ（Recommended Standard 232 version C）やＵＳＢ（Universal Serial Bus）接続の接続形式でキャッシャユニット１１０に接続されている。通信インタフェース１２０ｄは、キャッシャユニット１１０との間でデータの送受信をおこなう。
【００３１】
以上のようなハードウェア構成によって、本実施の形態の処理機能を実現することができる。なお、キャッシャユニット１１０も同様のハードウェア構成で実現できる。
なお、チェッカユニット１２０、キャッシャユニット１１０は、それぞれＦＰＧＡ（Field Programmable Gate Array）やＤＳＰ（Digital Signal Processer）などからなるモジュールを含んで構成することもでき、ＣＰＵ１２０ａを有しない構成とすることもできる。その場合、チェッカユニット１２０、キャッシャユニット１１０は、それぞれ不揮発性メモリ（たとえば、ＥＥＰＲＯＭ（Electrically Erasable and Programmable Read Only Memory）、フラッシュメモリ、フラッシュメモリ型メモリカードなど）を備え、モジュールのファームウェアを記憶する。不揮発性メモリは、可搬型記録媒体１２９、あるいは通信インタフェース１２０ｄを介してファームウェアを書き込むことができる。このようにチェッカユニット１２０、キャッシャユニット１１０は、不揮発性メモリに記憶されているファームウェアを書き換えることにより、ファームウェアの更新をすることもできる。
【００３２】
次に、第２の実施形態のＰＯＳ端末装置１０１のスキャンコード入力処理について図４を用いて説明する。図４は、第２の実施形態のチェッカユニットとキャッシャユニットにおけるスキャンコード入力処理のシーケンス図である。
【００３３】
ＰＯＳ端末装置１０１は、買い物ごとに少なくとも１つ以上のスキャンコードの入力と精算をおこなう。スキャンコード入力処理は、キャッシャユニット１１０とチェッカユニット１２０とが商品に付されたＲＦＩＤタグからスキャンコードを読み取り、スキャンコードの入力をおこなう処理である。
【００３４】
［ステップＳ１１］キャッシャユニット１１０は、ＲＦＩＤリーダライタ１２５の初期化を指示する。ＲＦＩＤリーダライタ１２５の初期化の指示は、たとえば、オペレータによるキーボード１１５の操作に基づいておこなわれる。キャッシャユニット１１０は、客の買い物１回ごとに１度の初期化指示をおこなう。
【００３５】
［ステップＳ２１］チェッカユニット１２０は、キャッシャユニット１１０からの初期化指示を受けてスキャンコードを記憶するＲＦＩＤ記憶領域の初期化をおこなう。
［ステップＳ２２］チェッカユニット１２０は、スキャンコード入力処理を終了するか否かを判定する。スキャンコード入力処理の終了判定は、キャッシャユニット１１０からの終了指示を受けて判定する。チェッカユニット１２０は、スキャンコード入力処理を終了すると判定した場合は、スキャンコード入力処理を終了する。一方、チェッカユニット１２０は、スキャンコード入力処理を終了しないと判定した場合は、ステップＳ２３にすすむ。
【００３６】
［ステップＳ２３］チェッカユニット１２０は、商品に付されたＲＦＩＤタグからスキャンコードをＲＦＩＤリーダライタ１２５によって読み取るＲＦＩＤ読取処理を実行する。ＲＦＩＤ読取処理の詳細は、図５を用いて後で詳述する。
【００３７】
［ステップＳ２４］チェッカユニット１２０は、ＲＦＩＤリーダライタ１２５によって読み取ったスキャンコードをキャッシャユニット１１０に通知するか否かを判定する。チェッカユニット１２０は、ＲＦＩＤリーダライタ１２５によって読み取ったスキャンコードをキャッシャユニット１１０に通知すると判定した場合は、ステップＳ２５にすすむ。一方、チェッカユニット１２０は、ＲＦＩＤリーダライタ１２５によって読み取ったスキャンコードをキャッシャユニット１１０に通知しないと判定した場合は、ステップＳ２２にすすむ。
【００３８】
［ステップＳ２５］チェッカユニット１２０は、入力データ（ＲＦＩＤリーダライタ１２５によってＲＦＩＤタグから読み取ったスキャンコード）、およびスキャンコードを商品マスタに照会して取得した商品情報（たとえば、商品名、商品単価）、オペレータが手動で登録した商品情報をキャッシャユニット１１０に通知する。チェッカユニット１２０は、読み取ったスキャンコードをＲＦＩＤ記憶領域に保存し、ステップＳ２２にすすむ。
【００３９】
［ステップＳ１２］キャッシャユニット１１０は、チェッカユニット１２０からの入力データおよび商品情報の通知、または小計キーの押下を待ち受ける。キャッシャユニット１１０は、チェッカユニット１２０からの入力データおよび商品情報の通知があった場合、ステップＳ１３にすすむ。一方、キャッシャユニット１１０は、小計キーの押下があった場合、ステップＳ１４にすすむ。
【００４０】
［ステップＳ１３］キャッシャユニット１１０は、入力データおよび商品情報について所要の処理を実行する。キャッシャユニット１１０は、取得した商品名、商品単価をディスプレイ１１７、カスタマディスプレイ１１８に表示する。また、キャッシャユニット１１０は、商品名、商品単価、商品数を精算対象として一次記憶する。キャッシャユニット１１０は、入力データについて所要の処理の実行が終了すると、ステップＳ１２にすすむ。
【００４１】
［ステップＳ１４］キャッシャユニット１１０は、キーボード１１５により小計キーが押下されたことで、チェッカユニット１２０にスキャンコード入力処理の終了を指示して、スキャンコード入力処理を終了する。
【００４２】
なお、キャッシャユニット１１０は、チェッカユニット１２０から入力データの通知を受けて、自ら商品マスタに照会して商品情報を取得するようにしてもよい。
また、ＰＯＳ端末装置１０１がキャッシャユニット１１０とチェッカユニット１２０からなる構成について説明したが、ＰＯＳ端末装置１０１は、キャッシャユニット１１０とチェッカユニット１２０を別体とせずに一体化することもできる。
【００４３】
次に、第２の実施形態のチェッカユニット１２０におけるＲＦＩＤ読取処理について図５を用いて説明する。図５は、第２の実施形態のチェッカユニットにおけるＲＦＩＤ読取処理のフローチャートである。
【００４４】
チェッカユニット１２０は、買い物かごの中にある商品について、ＲＦＩＤタグからスキャンコードを一括して読み取る。チェッカユニット１２０は、読取結果をディスプレイ１２７、カスタマディスプレイ１２８に表示する。
【００４５】
［ステップＳ３１］チェッカユニット１２０は、商品の読取位置と対応付け可能にスキャンコードを読み取る特定位置ＲＦＩＤ読取処理を実行する。ＲＦＩＤリーダライタ１２５は、３行３列のマトリクス状に配置された９個の小型ＲＦＩＤリーダライタの集合体であり、小型のＲＦＩＤリーダライタは、各々に割り当てられた領域の商品に付されたＲＦＩＤタグからスキャンコードを読み取る。ここでは、チェッカユニット１２０は、複数ある領域の１つについて、ＲＦＩＤタグからスキャンコードを読み取る。特定位置ＲＦＩＤ読取処理は、図６を用いて後で詳述する。
【００４６】
［ステップＳ３２］チェッカユニット１２０は、全位置（９個の小型ＲＦＩＤリーダライタの各々に対応する領域）についてスキャンコードの読み取りが終了したか否かを判定する。チェッカユニット１２０は、全位置についてスキャンコードの読み取りが終了したと判定した場合、ステップＳ３３にすすむ。一方、チェッカユニット１２０は、全位置についてスキャンコードの読み取りが終了していないと判定した場合、ステップＳ３１にすすむ。
【００４７】
このようにして、チェッカユニット１２０は、複数（９つの）の領域について順次タイミングをずらしてＲＦＩＤタグからのスキャンコードの読み取りを実行する。
なお、チェッカユニット１２０がスキャンコードの読み取りタイミングをずらすのは、重複読み取りの際の優先順位を読み取り順序により設定するためである。したがって、予め小型ＲＦＩＤリーダライタに優先順位が設定されている場合は、同時読み取りとしてもよい。また、読取範囲が重複しない小型ＲＦＩＤリーダライタについては、同時読み取りとし、読取範囲が重複する小型ＲＦＩＤリーダライタについては、読み取りタイミングをずらすようにしてもよい。
【００４８】
［ステップＳ３３］チェッカユニット１２０は、ＲＦＩＤタグからのスキャンコードの読み取り漏れを防止するため、ＲＦＩＤタグからのスキャンコードの再確認のための読み取りを実行する。チェッカユニット１２０は、再確認をおこなうと判断した場合は、ステップＳ３１にすすみ、再確認をおこなわないと判断した場合は、ステップＳ３４にすすむ。
【００４９】
なお、チェッカユニット１２０は、機械的に２度読みをおこなうだけでなく、連続する２回の読み取り結果が一致するまで再確認をおこなうようにしてもよい。これにより、買い物かご内の商品が崩れるなどして位置関係に変化が生じた場合でも、チェッカユニット１２０は、読み取り前の領域から読み取り済みの領域に移動した商品からのスキャンコードの未読を防止することができる。また、チェッカユニット１２０は、読み取り前の領域から読み取り済みの領域に移動した商品の位置を好適に把握することができる。
【００５０】
［ステップＳ３４］チェッカユニット１２０は、スキャンコードを読み取った商品について、買い物かご内の位置情報の表示をおこなうマスタ未登録商品位置情報表示処理を実行する。特に、チェッカユニット１２０は、スキャンコードを読み取った商品のうち商品マスタに商品情報が登録されていない商品について、買い物かご内の位置を特定可能な情報（位置情報、メーカ名など）の表示をおこなう。マスタ未登録商品位置情報表示処理は、図７を用いて後で詳述する。チェッカユニット１２０は、マスタ未登録商品位置情報表示処理の実行後、ＲＦＩＤ読取処理を終了する。
【００５１】
次に、第２の実施形態のチェッカユニット１２０における特定位置ＲＦＩＤ読取処理について図６を用いて説明する。図６は、第２の実施形態のチェッカユニットにおける特定位置ＲＦＩＤ読取処理のフローチャートである。
【００５２】
［ステップＳ４１］チェッカユニット１２０は、ＲＦＩＤリーダライタを指定する。具体的には、チェッカユニット１２０は、予め定められている順番にしたがい９個の小型ＲＦＩＤリーダライタのいずれかを指定する。たとえば、３行３列のマトリクス配置された９個の小型ＲＦＩＤリーダライタの読み取り順序は、「１行１列」、「２行１列」、「３行１列」、「１行２列」、「２行２列」、「３行２列」、「１行３列」、「２行３列」、「３行３列」のように列ごとの順次走査とすることができる。
【００５３】
［ステップＳ４２］チェッカユニット１２０は、ＲＦＩＤタグと通信をおこなうため、ステップＳ４１で指定した小型ＲＦＩＤリーダライタを作動（Enable）状態にして電波を発信する。
【００５４】
［ステップＳ４３］チェッカユニット１２０は、ステップＳ４１で指定した小型ＲＦＩＤリーダライタとの通信範囲内にある読み取り未完了の商品を検出する。
ここで、図８を用いて商品から取得するスキャンコードと読取フラグについて説明する。図８は、第２の実施形態のＲＦＩＤタグを付した商品の一例を示す図である。たとえば、商品Ａ５００に付されたＲＦＩＤタグ５０１と通信をおこなうと、チェッカユニット１２０は、スキャンコードと、読取フラグ、その他情報を読み取ることができる。スキャンコードは、国識別コード、メーカコード、商品コードを含む。例示のスキャンコードは、日本国を識別する国識別コード４９を含む。したがって、チェッカユニット１２０は、スキャンコードを取得することでメーカコード、商品コードを併せて取得することができる。読取フラグは、チェッカユニット１２０が商品Ａ５００が読み取り完了の商品か、読み取り未完了の商品かの判断をおこなうためのフラグである。
【００５５】
なお、チェッカユニット１２０は、１つの商品について繰り返し読出しをおこなうため、読み取りフラグは読出しタイミングを特定可能な情報（読出タイミング情報）、あるいは読み出したＲＦＩＤリーダライタを特定可能な情報（ＲＦＩＤリーダライタ特定情報）を付与可能にしてもよい。
【００５６】
［ステップＳ４４］チェッカユニット１２０は、ステップＳ４３で検出した読み取り未完了の商品のすべてについて、スキャンコードを取得する。このとき、チェッカユニット１２０は、読み取り完了となった商品のＲＦＩＤタグに記録されている読み取りフラグを更新して読取が完了した情報（読取完了情報）を付す。
【００５７】
［ステップＳ４５］チェッカユニット１２０は、取得した商品コードに対応する商品名、価格を、商品マスタ３０１から検索する。商品マスタ３０１は、商品を識別するための商品コード（商品識別情報）、商品名（商品名情報）や価格（価格情報）などを登録した商品情報ファイルである。
【００５８】
［ステップＳ４６］チェッカユニット１２０は、取得した商品コードに対応する商品名、価格を、商品マスタ３０１から検索できた場合、ステップＳ４７にすすむ。一方、チェッカユニット１２０は、取得した商品コードに対応する商品名、価格を、商品マスタ３０１から検索できなかった場合、ステップＳ４８にすすむ。スキャンコードを取得できたのに商品名、商品価格を商品マスタ３０１から検索できなかった場合とは、たとえば、商品コードに対応する商品名、価格が商品マスタ３０１に登録されていない場合がある。商品コードに対応する商品名、価格が商品マスタ３０１に登録されていない事態は、商品の納入後の商品マスタ３０１への登録前に、商品が店頭に陳列されてしまう場合などに起こりえる。
【００５９】
［ステップＳ４７］チェッカユニット１２０は、取得した商品コードに対応する商品名、価格を記憶領域に保持し、ディスプレイ１１７、カスタマディスプレイ１１８に表示する。
【００６０】
［ステップＳ４８］チェッカユニット１２０は、取得したメーカコードに対応するメーカ名を、メーカマスタ３０２から検索する。メーカマスタ３０２は、メーカを識別するためのメーカコード（メーカ識別情報）、メーカ名（メーカ名情報）などを登録したメーカ情報ファイルである。
【００６１】
［ステップＳ４９］チェッカユニット１２０は、取得したメーカコードに対応するメーカ名を、メーカマスタ３０２から検索できた場合、ステップＳ５０にすすむ。一方、チェッカユニット１２０は、取得したメーカコードに対応するメーカ名を、メーカマスタ３０２から検索できなかった場合、ステップＳ５１にすすむ。スキャンコードを取得できたのにメーカ名をメーカマスタ３０２から検索できなかった場合とは、たとえば、メーカコードに対応するメーカ名がメーカマスタ３０２に登録されていない場合がある。
【００６２】
［ステップＳ５０］チェッカユニット１２０は、取得したメーカコードに対応するメーカ名、商品マスタ３０１への未登録商品ありの情報（未登録商品情報）を記憶領域に保持する。そして、チェッカユニット１２０は、取得できなかった商品名、価格を不明にしてディスプレイ１１７、カスタマディスプレイ１１８に表示する。オペレータは、メーカ名の表示により商品名、価格の不明な商品を買い物かごの中から見つける手がかりを得ることができる。
【００６３】
［ステップＳ５１］チェッカユニット１２０は、商品マスタ３０１への未登録商品あり、かつメーカマスタ３０２への未登録メーカありの情報（未登録商品情報）を記憶領域に保持する。そして、チェッカユニット１２０は、取得できなかった商品名、価格、メーカ名を不明にしてディスプレイ１１７、カスタマディスプレイ１１８に表示する。オペレータは、商品名、価格、メーカ名ともに不明な商品の存在を知ることができる。
【００６４】
［ステップＳ５２］チェッカユニット１２０は、スキャンコードの読み取りが終了したか否かを判定する。チェッカユニット１２０は、スキャンコードの読み取りが終了したと判定した場合はステップＳ５３にすすみ、スキャンコードの読み取りが終了していないと判定した場合はステップＳ４３にすすむ。
【００６５】
［ステップＳ５３］チェッカユニット１２０は、ＲＦＩＤタグとの通信を終了して、ステップＳ４１で指定した小型ＲＦＩＤリーダライタを非作動（Disable）状態にして電波の発信を停止する。そして、チェッカユニット１２０は、指定していたＲＦＩＤリーダライタの指定を解除して、特定位置ＲＦＩＤリーダライタ読取処理を終了する。
【００６６】
次に、第２の実施形態のチェッカユニット１２０におけるマスタ未登録商品位置情報表示処理について図７を用いて説明する。図７は、第２の実施形態のチェッカユニットにおけるマスタ未登録商品位置情報表示処理のフローチャートである。
【００６７】
［ステップＳ６１］チェッカユニット１２０は、小型ＲＦＩＤリーダライタの１つを指定して、指定した小型ＲＦＩＤリーダライタに対応した記憶領域に保持した未登録商品情報を参照する。
【００６８】
［ステップＳ６２］チェッカユニット１２０は、未登録商品情報より未登録商品があると判定した場合にステップＳ６３にすすみ、未登録商品がないと判定した場合にステップＳ６５にすすむ。
【００６９】
［ステップＳ６３］チェッカユニット１２０は、リーダ位置マスタ３０３を参照して、指定した小型ＲＦＩＤリーダライタのリーダＮｏ（読取装置識別情報）に対応したリーダ位置（位置情報）を取得する。リーダ位置マスタ３０３は、リーダ位置を識別するためのリーダＮｏ、リーダ位置などを登録したリーダ位置情報ファイルである。
【００７０】
リーダＮｏは、ユニークな識別情報であり、たとえば、１から９までのシリアル番号である。リーダ位置は、買い物かご載置部１２３ａを９分割した位置に対応する位置情報であり、たとえば、「１行１列」、「２行１列」、「３行１列」、「１行２列」、「２行２列」、「３行２列」、「１行３列」、「２行３列」、「３行３列」である。
【００７１】
［ステップＳ６４］チェッカユニット１２０は、指定した小型ＲＦＩＤリーダライタの対応する位置（買い物かごの対応する位置）に商品マスタ未登録商品が存在することを示す報知情報（色、文字、商品表示番号、図形、これらの組み合わせなど）を、ディスプレイ１１７、カスタマディスプレイ１１８に表示する。
【００７２】
［ステップＳ６５］チェッカユニット１２０は、すべての位置（すべての小型ＲＦＩＤリーダライタ）について、記憶領域に保持した未登録商品情報を参照したか否かを判定する。チェッカユニット１２０は、すべての位置について、記憶領域に保持した未登録商品情報を参照していないと判定した場合、ステップＳ６１にすすむ。一方、チェッカユニット１２０は、すべての位置について、記憶領域に保持した未登録商品情報を参照したと判定した場合、マスタ未登録商品位置情報表示処理を終了する。
【００７３】
これにより、買い物かご内のいずれの位置に対応する商品が未登録商品であるかをオペレータに容易に認識させることができる。
次に、第２の実施形態のチェッカユニット１２０における買い物かごにある商品の読取状況ついて図９を用いて説明する。図９は、第２の実施形態の買い物かごにある商品の読取状況の一例を示す図である。
【００７４】
買い物かご５１０は、複数の商品を収納した状態で、買い物かご載置部１２３ａに載置されている状態を示す。買い物かご載置部１２３ａは、ＲＦＩＤリーダライタ１２５を備える。ＲＦＩＤリーダライタ１２５は、３行３列に配置された９つの小型ＲＦＩＤリーダライタ１２５ａ、１２５ｂ、１２５ｃ、１２５ｄ、１２５ｅ、１２５ｆ、１２５ｇ、１２５ｈ、１２５ｉで構成される。図は、買い物かご５１０に１５個の商品が収納されている状態を示し、うち１３個の商品は商品マスタ３０１に登録されている商品（白色）であり、うち２個の商品は商品マスタ３０１に登録されていない商品（網掛け）５１１、５１２であることを示す。商品５１１からスキャンコードを取得した小型ＲＦＩＤリーダライタ１２５ｆは、リーダＮｏが「６」であり、リーダ位置マスタ３０３から「３行２列」に配置されていることがわかる。これにより、商品５１１が買い物かご５１０の「３行２列」に対応した位置に収納されていることを把握することができる。同様にして、商品５１２が買い物かご５１０の「１行３列」に対応した位置に収納されていることを把握することができる。
【００７５】
次に、第２の実施形態のチェッカユニット１２０における商品の読取結果の表示について図１０を用いて説明する。図１０は、第２の実施形態のチェッカユニットのディスプレイの画面表示例を示す図である。
【００７６】
画面表示６００は、チェッカユニット１２０がディスプレイ１１７に表示する商品の読取結果の表示例である。画面表示６００は、オペレータ側に向けて商品の読取結果を報知する表示であるが、同じ画面表示６００、あるいは客にとって不要な一部の表示を削除した簡易表示をカスタマディスプレイ１１８に表示するようにしてもよい。
【００７７】
画面表示６００は、登録済商品表示６０１、未登録商品表示６０２、読取点数６０３、読取済点数６０４、マスタ未登録点数６０５、読取日時表示６０６、商品位置表示６０７、緊急登録ボタン表示６０８、再読取ボタン表示６０９を含む。
【００７８】
登録済商品表示６０１は、商品マスタ３０１から商品名、価格（単価）を取得できた商品を表示する。複数ある同一商品については、単価と数量を積算した合価（合計価格）を表示する。登録済商品表示６０１は、一度に４つの商品を確認可能な領域とサイドバーを有する。登録済商品表示６０１は、サイドバーにより表示する商品を切り替えることができる。また、登録済商品表示６０１は、商品表示番号（図中のＮｏ表示）を表示する。
【００７９】
未登録商品表示６０２は、商品マスタ３０１から商品名、価格（単価）を取得できなかった商品を表示する。未登録商品表示６０２は、メーカマスタ３０２からメーカ名を取得できた場合、メーカ名を表示する。未登録商品表示６０２は、一度に２つの商品を確認可能な領域とサイドバーを有する。未登録商品表示６０２は、サイドバーにより表示する商品を切り替えることができる。また、未登録商品表示６０２は、商品表示番号（図中のＮｏ表示）を表示する。
【００８０】
読取点数６０３は、ＲＦＩＤタグからスキャンコードを読み取った商品数を表示する。読取済点数６０４は、商品マスタ３０１から商品名、価格（単価）を取得できた商品数を表示する。マスタ未登録点数６０５は、商品マスタ３０１から商品名、価格（単価）を取得できなかった商品数を表示する。読取日時表示６０６は、ＲＦＩＤタグからスキャンコードを読み取った日時を表示する。なお、ＲＦＩＤタグからスキャンコードを読み取った日時の表示に代えて時計表示とすることもできる。
【００８１】
商品位置表示６０７は、買い物かご５１０を上から俯瞰して商品収納領域を９分割した分割領域表示をする。各分割領域表示は、小型ＲＦＩＤリーダライタのリーダＮｏを表示する。また、各分割領域表示は、マスタ未登録商品位置である場合に網掛け表示される。網掛け表示された分割領域表示をタッチすることで、タッチした分割表示領域に対応するマスタ未登録商品情報を表示するようにしてもよい。また、各分割領域表示の小型ＲＦＩＤリーダライタのリーダＮｏの表示に代えて、商品位置表示６０７は、商品表示番号を表示するようにしてもよい。
【００８２】
緊急登録ボタン表示６０８は、商品マスタ未登録商品について商品情報の緊急登録をおこなうための操作ボタン表示である。オペレータが緊急登録ボタン表示６０８をタッチすることで、タッチパネル１２１から入力が受け付けられ、商品マスタ未登録商品について商品情報の緊急登録をおこなうための表示に切り替わる。緊急登録された商品情報は、ＰＯＳ端末装置１０１が備える商品マスタ３０１に登録される。緊急登録された商品情報は、その他のＰＯＳ端末装置およびＰＯＳサーバ１３０に通知され、ＰＯＳ端末装置１０１が備える商品マスタ３０１と、その他のＰＯＳ端末装置およびＰＯＳサーバ１３０が備える商品マスタとの間で同期が取られる。
【００８３】
再読取ボタン表示６０９は、オペレータが再読取が必要だとした場合に再読取をおこなうための操作ボタン表示である。オペレータが再読取ボタン表示６０９をタッチすることで、タッチパネル１２１から入力が受け付けられ、ＲＦＩＤ読取処理が実行され、読み取り結果が更新される。
【００８４】
このように、商品位置と商品情報とを対応付けて表示することで、ＲＦＩＤタグの一括読み取り時に不具合を生じた原因商品の買い物かご５１０内の位置特定を容易にすることができる。
【００８５】
なお、商品位置表示６０７は、各分割領域表示がマスタ登録商品位置である場合に網掛け表示するようにしてもよい。網掛け表示された分割領域表示をタッチすることで、タッチした分割表示領域に対応するマスタ登録商品情報を表示するようにしてもよい。また、各分割領域表示の小型ＲＦＩＤリーダライタのリーダＮｏの表示に代えて、商品位置表示６０７は、商品表示番号を表示するようにしてもよい。これにより、スキャンデータを取得できた商品を明示することができ、ＲＦＩＤタグが故障した商品を消去法的に特定することができる。
【００８６】
次に、第３の実施形態のチェッカユニット１２０におけるＲＦＩＤリーダライタ配置について図１１を用いて説明する。図１１は、第３の実施形態のＲＦＩＤリーダライタ配置例を示す図である。
【００８７】
第３の実施形態のチェッカユニット１２０におけるＲＦＩＤリーダライタ１３５は、第２の実施形態のＲＦＩＤリーダライタ１２５と異なり、３行３列のマトリクス配置された９個の小型ＲＦＩＤリーダライタに代えて１行３列の３個の小型ＲＦＩＤリーダライタを備える。また、レーン台１２３は、たとえば、ベルトコンベアを備えて載置した買い物かご５３０を搬送する。図１１（ａ）のときに、１行３列の３個の小型ＲＦＩＤリーダライタは、小型ＲＦＩＤリーダライタ１３５ｃ、１３５ｆ、１３５ｉとして機能する。図１１（ｂ）のときに、１行３列の３個の小型ＲＦＩＤリーダライタは、小型ＲＦＩＤリーダライタ１３５ｂ、１３５ｅ、１３５ｈとして機能する。図１１（ｃ）のときに、１行３列の３個の小型ＲＦＩＤリーダライタは、小型ＲＦＩＤリーダライタ１３５ａ、１３５ｄ、１３５ｇとして機能する。
【００８８】
各小型ＲＦＩＤリーダライタに対応する商品位置は、ベルトコンベア（買い物かご搬送手段）の搬送距離に基づいて切替制御することができる。なお、切替制御のタイミング検出は、搬送距離に代えて、買い物かごの搬送位置検出や、ベルトコンベアの駆動時間とすることもできる。また、買い物かごの搬送位置検出は、レーン台１２３に備えた位置検出センサ（たとえば、フォトセンサ）により買い物かご５３０を検出することで実現できる。また、買い物かご５３０の所定領域ごとに領域を示すＲＦＩＤタグを設け、所定のＲＦＩＤタグを検出している状態で買い物かごの領域を識別することもできる。
【００８９】
次に、第４の実施形態のチェッカユニット１２０におけるマスタ未登録商品位置情報表示処理について図１２を用いて説明する。図１２は、第４の実施形態のチェッカユニットにおけるマスタ未登録商品位置情報表示処理のフローチャートである。
【００９０】
第４の実施形態のマスタ未登録商品位置情報表示処理は、スキャンデータを取得した商品数に対応して商品の位置表示を変更可能な点で、第２の実施形態のマスタ未登録商品位置情報表示処理と異なる。
【００９１】
［ステップＳ７１］チェッカユニット１２０は、スキャンデータを取得した商品数を参照する。
［ステップＳ７２］チェッカユニット１２０は、小型ＲＦＩＤリーダライタの１つを指定して、指定した小型ＲＦＩＤリーダライタに対応した記憶領域に保持した未登録商品情報を参照する。
【００９２】
［ステップＳ７３］チェッカユニット１２０は、未登録商品情報より未登録商品があると判定した場合にステップＳ７４にすすみ、未登録商品がないと判定した場合にステップＳ７７にすすむ。
【００９３】
［ステップＳ７４］チェッカユニット１２０は、リーダ位置マスタ３０４を参照して、指定した小型ＲＦＩＤリーダライタのリーダＮｏ（読取装置識別情報）に対応したリーダ位置（位置情報）を取得する。リーダ位置マスタ３０４は、リーダ位置を識別するためのリーダＮｏ、リーダ位置、商品数対応位置表示情報などを登録したリーダ位置情報ファイルである。
【００９４】
リーダＮｏは、ユニークな識別情報であり、たとえば、１から９までのシリアル番号である。リーダ位置は、買い物かご載置部１２３ａを９分割した位置に対応する位置情報であり、たとえば、「１行１列」、「２行１列」、「３行１列」、「１行２列」、「２行２列」、「３行２列」、「１行３列」、「２行３列」、「３行３列」である。商品数対応位置表示情報は、商品数に対応した位置表示領域数と、各位置表示領域とリーダ位置との対応関係を示す情報である。具体的には、たとえば、商品数が５以下ならば、位置表示領域数を３として第１の位置表示領域に「１行１列」、「１行２列」、「１行３列」を割り当て、第２の位置表示領域に「２行１列」、「２行２列」、「２行３列」を割り当て、第３の位置表示領域に「３行１列」、「３行２列」、「３行３列」を割り当てる。
【００９５】
［ステップＳ７５］チェッカユニット１２０は、リーダ位置マスタ３０４を参照して、指定した小型ＲＦＩＤリーダライタのリーダＮｏ（読取装置識別情報）に対応した商品数対応位置表示情報を取得する。
【００９６】
［ステップＳ７６］チェッカユニット１２０は、指定した小型ＲＦＩＤリーダライタの対応する位置（買い物かごの対応する位置）に商品マスタ未登録商品が存在することを示す報知情報（色、文字、商品表示番号、図形、これらの組み合わせなど）を、ディスプレイ１１７、カスタマディスプレイ１１８に表示する。
【００９７】
［ステップＳ７７］チェッカユニット１２０は、すべての位置（すべての小型ＲＦＩＤリーダライタ）について、記憶領域に保持した未登録商品情報を参照したか否かを判定する。チェッカユニット１２０は、すべての位置について、記憶領域に保持した未登録商品情報を参照していないと判定した場合、ステップＳ７２にすすむ。一方、チェッカユニット１２０は、すべての位置について、記憶領域に保持した未登録商品情報を参照したと判定した場合、マスタ未登録商品位置情報表示処理を終了する。
【００９８】
これにより、商品の数に応じた買い物かご内のいずれの位置に対応する商品が未登録商品であるかをオペレータに容易に認識させることができる。特に商品数が少ないときに、買い物かご内のいずれの位置に対応する商品が未登録商品であるかをオペレータに迅速に認識させることができる。
【００９９】
なお、商品の位置表示の変更は、スキャンデータを取得した商品数に対応しておこなう場合に限らず、たとえば、商品マスタ３０１から取得する商品の重量、商品の嵩など、その他の情報に基づいておこなうこともできる。
【０１００】
次に、第４の実施形態のチェッカユニット１２０における商品の読取結果の表示について図１３を用いて説明する。図１３は、第４の実施形態のチェッカユニットのディスプレイの画面表示例を示す図である。
【０１０１】
画面表示６１０は、スキャンデータを取得した商品数が２点しかなく比較的商品数が少ない点で第２の実施形態の画面表示例（画面表示６００）と異なる。また、第２の実施形態の画面表示６００は、商品位置表示６０７が買い物かごを９分割した領域表示で表すのに対して、第４の実施形態の画面表示６１０は、商品位置表示６１１が買い物かごを３分割した領域表示で表す点で異なる。
【０１０２】
このように商品点数が少ない場合には、買い物かごを分割する領域の大きさを粗くして商品位置を表示したほうがオペレータにとって商品位置の識別が容易かつ迅速になる。
なお、第２の実施形態から第４の実施形態で説明したＲＦＩＤリーダライタは、レーン台１２３の買い物かご載置部１２３ａに沿って配置したが、レーン台１２３の長手方向に起立壁を設けてＲＦＩＤリーダライタを配置し、買い物かごを側面から領域分割した商品位置の報知をおこなうようにしてもよい。また、ＲＦＩＤリーダライタをレーン台１２３の買い物かご載置部１２３ａおよび長手方向起立壁とに設けて、買い物かごを側面、および底面で３次元に領域分割した商品位置の報知をおこなうようにしてもよい。
【０１０３】
なお、買い物かごに入れた商品について商品位置の報知をおこなう例を示したが、買い物かごに限らず買い物カートに入れた商品を商品位置報知の対象としてもよい。
なお、上記の処理機能は、コンピュータによって実現することができる。その場合、キャッシャユニット１１０、チェッカユニット１２０が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（可搬型記録媒体を含む）に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ、ＣＤ−ＲＯＭ、ＣＤ−Ｒ（Recordable）／ＲＷ（ReWritable）などがある。光磁気記録媒体には、ＭＯ（Magneto-Optical disk）などがある。
【０１０４】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１０５】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、サーバコンピュータからプログラムが転送されるごとに、逐次、受け取ったプログラムにしたがった処理を実行することもできる。
【０１０６】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【０１０７】
１０  商品情報読取装置
１１  識別情報取得手段
１２  商品情報取得手段
１３  商品位置関連付手段
１４  商品情報取得判定手段
１５  商品情報報知手段
２１  識別情報
２２  商品情報
２３  位置情報
【図１】
0005393382.tif 000002
【図２】
0005393382.tif 000003
【図３】
0005393382.tif 000004
【図４】
0005393382.tif 000005
【図５】
0005393382.tif 000006
【図６】
0005393382.tif 000007
【図７】
0005393382.tif 000008
【図８】
0005393382.tif 000009
【図９】
0005393382.tif 000010
【図１０】
0005393382.tif 000011
【図１１】
0005393382.tif 000012
【図１２】
0005393382.tif 000013
【図１３】
0005393382.tif 000014